(57)【特許請求の範囲】
【請求項１】
本体にヒンジを介して回転可能に取り付けられる扉に開き方向及び／又は閉じ方向のトルクを働せるための扉用装置であって、
ベースと、
前記ベースに回転可能に支持されるアームと、
前記アームに開き方向及び／又は閉じ方向のトルクを働かせるための付勢手段と、を備え、
前記ヒンジが、前記本体及び前記扉のいずれか一方に取り付けられる第１部と、前記本体及び前記扉の他方に取り付けられる第２部と、を有し、
前記ベースが前記ヒンジの前記第１部に取り付けられ、
前記アームが前記本体及び前記扉の前記他方に連結される扉用装置。
【請求項２】
前記ヒンジは、対向する一対の側板と、前記一対の側板を連結する連結板と、を有して、前記ベースが取り付けられる断面略コ字状の第１部本体を有することを特徴とする請求項１に記載の扉用装置。
【請求項３】
前記アームを前記本体及び前記扉の前記他方に連結するための座が、前記ヒンジの前記第２部から離れており、
前記付勢手段が前記アームに収容されることを特徴とする請求項１又は２に記載の扉用装置。
【請求項４】
前記ヒンジの前記第１部は、前記本体に固定される取付け座と、前記取付け座に着脱可能に取り付けられる第１部本体と、を有し、
前記扉用装置の前記ベースが前記第１部本体に取り付けられることを特徴とする請求項１ないし３のいずれか一項に記載の扉用装置。
【請求項５】
前記扉用装置は、前記ベースに設けられるカムと、
前記アームに対してスライド可能であり、前記付勢手段によって前記カムに付勢されるスライダと、を備えることを特徴とする請求項１ないし４のいずれか一項に記載の扉用装置。
【請求項６】
前記ヒンジの前記第１部本体が嵌る前記ベースの凹部は、前記ヒンジの前記第１部本体の前記一対の側板に対応する一対の側壁と、前記連結板に対応するベース本体と、前記ベース本体との間で前記一対の側板を挟むように、前記一対の側壁に曲げて設けられる一対の屈曲部と、によって画定されることを特徴とする請求項２に記載の扉用装置。
【請求項７】
前記アームを前記本体及び前記扉の前記他方に連結するための座が、前記他方に固定される第１座と、前記アームに連結され、前記第１座に対して軸を中心にして回転可能な第２座と、を有することを特徴とする請求項１ないし６のいずれか一項に記載の扉用装置。
【請求項８】
前記ヒンジの前記第１部は、前記本体に固定される取付け座と、前記取付け座に着脱可能に取り付けられる第１部本体と、を有し、
前記扉用装置の前記ベースが前記取付け座に取り付けられることを特徴とする請求項１ないし３のいずれか一項に記載の扉用装置。
【請求項９】
前記ベースを前記ヒンジの前記第１部に取り付けた状態で前記ヒンジの位置調節ねじを操作できるように、前記ベースにはアクセス開口が設けられることを特徴とする請求項１ないし８のいずれか一項に記載の扉用装置。
【発明の詳細な説明】
【技術分野】
【０００１】
本発明は、本体にヒンジを介して回転可能に取り付けられる扉に閉じ方向及び／又は開き方向のトルクを働かせるための扉用装置に関する。
【背景技術】
【０００２】
家具、収納庫、建築物等の本体には、ヒンジを介して扉が回転可能に取り付けられる。ヒンジの一種として、４節回転連鎖から構成されるスライドヒンジが知られている（特許文献１参照）。スライドヒンジは、本体に取り付けられる第１部と、扉に取り付けられる第２部と、第１部と第２部とに回転可能に連結される２つのリンクと、を備える。【０００３】
スライドヒンジには、扉にトルクを働かせるためのばねが設けられる。扉を閉じ位置及び／又は開き位置に保持するキャッチ機能を付加したり、又は扉をわずかな力で開けられるアシスト機能を付加するためである。ばねは、例えばねじりばねであり、第１部とリンクとの間又は第２部とリンクとの間に設けられ、リンクにトルクを働かせる。
【先行技術文献】
【特許文献】
【０００４】
【特許文献１】特開２００７−３０８９１４号公報
【発明の概要】
【発明が解決しようとする課題】
【０００５】
しかし、従来のスライドヒンジにあっては、スライドヒンジの限られたスペース内にばねが配置されるので、ばねの力を大きくすることが困難であり、扉が重い場合又は大きなモーメントが作用する上開き扉の場合、必要なキャッチ機能及び／又はアシスト機能が得られない、という課題がある。【０００６】
この課題を解決するために、スライドヒンジに併用して、扉にトルクを働かせるための扉用装置を設けることが考えられる。しかし、スライドヒンジに扉用装置を併用すると、別々の２つの機械部品が存在することになるので、見栄えが悪かったり、収納スペースが狭くなったり、取り付けに手間がかったりするという課題がある。【０００７】
そこで、本発明は、必要なキャッチ機能及び／又はアシスト機能を確保することができ、また、すっきりとした印象を与えることができる扉用装置を提供することを目的とする。
【課題を解決するための手段】
【０００８】
上記課題を解決するために、本発明は、本体にヒンジを介して回転可能に取り付けられる扉に閉じ方向及び／又は開き方向のトルクを働かせるための扉用装置であって、ベースと、前記ベースに回転可能に支持されるアームと、前記アームに閉じ方向及び／又は開き方向のトルクを働かせるための付勢手段と、を備え、前記ヒンジが、前記本体及び前記扉のいずれか一方に取り付けられる第１部と、前記本体及び前記扉の他方に取り付けられる第２部と、を有し、前記ベースが前記ヒンジの前記第１部に取り付けられ、前記アームが前記本体及び前記扉の前記他方に連結される扉用装置である。
【発明の効果】
【０００９】
本発明によれば、扉用装置のベースがヒンジの第１部に取り付けられるので、ヒンジと扉用装置とを一体化することができ、すっきりとした印象を与えることができる。また、付勢手段を扉用装置に設けるので、付勢手段の選択の幅が広がり、必要なキャッチ機能及び／又はアシスト機能を確保することができる。
【図面の簡単な説明】
【００１０】
【図１】本発明の第１の実施形態の扉用装置の斜視図である。
【図２】本実施形態の扉用装置とヒンジとを分解した状態の斜視図である。
【図３】本実施形態の扉用装置をヒンジに取り付けた状態を示す図である（図３（ａ）は側面図、図３（ｂ）は断面図である）。
【図４】本実施形態の扉用装置の分解斜視図である。
【図５】本実施形態の扉用装置の動作図である（図５（ａ）は扉の閉じ位置を示し、図５（ｂ）は扉の開き位置を示す）。
【図６】本実施形態の扉用装置の取付け方法の工程図である。
【図７】本実施形態の扉用装置の取付け方法の工程図である。
【図８】本実施形態の扉用装置の取付け方法の工程図である。
【図９】本発明の第２の実施形態の扉用装置の斜視図である。
【図１０】本発明の第３の実施形態の扉用装置の斜視図である。
【図１１】本発明の第３の実施形態の扉用装置の斜視図（ヒンジから取り外した状態）である。
【図１２】本発明の第３の実施形態の扉用装置の底面図である。
【図１３】本発明の第４の実施形態の扉用装置の斜視図である。
【図１４】１軸ヒンジの斜視図である。
【図１５】本発明の第５の実施形態の扉用装置の斜視図である。
【図１６】本発明の第６の実施形態の扉用装置の斜視図である。
【図１７】座の斜視図である。
【図１８】本実施形態の扉用装置の分解斜視図である。
【図１９】ばねの力の調整方法を示すアームの断面図である（図１９（ａ）は、ばねの力を最大にした状態を示し、図１９（ｂ）は、ばねの力を最小にした状態を示し、図１９（ｃ）は、ねじがプレートナットから外れた状態を示す）。
【図２０】本実施形態の扉用装置の取付け方法の工程図である。
【図２１】本実施形態の扉用装置の取付け方法の工程図である。
【図２２】本実施形態の扉用装置の取付け方法の工程図である。
【図２３】ヒンジの前後方向及び上下方向の位置調節を示す図である。
【図２４】ヒンジの左右方向の位置調節を示す図である。
【図２５】本実施形態の扉用装置を上蓋に適用したキャビネット等の家具の断面図である。
【発明を実施するための形態】
【００１１】
以下、添付図面に基づいて、本発明の扉用装置の実施形態を詳細に説明する。ただし、本発明の扉用装置は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１２】
図１は、本発明の第１の実施形態の扉用装置をヒンジ付きの家具に取り付けた状態を示す。家具の本体１には、スライドヒンジ２（以下、単にヒンジ２という）を介して扉３が開閉可能に取り付けられる。扉３は上開き扉であり、ヒンジ２によって閉じ位置から開き位置まで水平軸の回りを回転する。図１には、扉３の開き位置を示す。ヒンジ２は、本体１に取り付けられる第１部４と、扉３に取り付けられる第２部５と、を備える。第１部４と第２部５とは、２つのリンク７，８を介して連結される（図３（ｂ）参照）。扉用装置９は、ベース１０と、ベース１０に回転可能に支持されるアーム１１と、を備える。ベース１０は、ヒンジ２の第１部４に取り付けられ、第１部４を介して本体１に取り付けられる。アーム１１の先端部は、座１２を介して扉３に連結される。座１２と第２部５とはアーム１１の長さ方向に離れている。アーム１１は第２部５に取り付けられてはいない。
【００１３】
なお、以下においては、説明の便宜上、本体１を正面から見たときの方向、すなわち図１に示す前後方向、左右方向、及び上下方向を用いて扉用装置９の構成を説明する。もちろん、扉用装置９の配置は、このような配置に限られるものではない。
【００１４】
本体１は、天板１ａと、左右一対の側板１ｂと、図示しない底板と、を備える。ヒンジ２の第１部４は、第１ねじ１４を用いて天板１ａに取り付けられる。ヒンジ２の第２部５は、第２ねじ１５を用いて扉３に取り付けられる。座１２は、第３ねじ２０を用いて扉３に取り付けられる。
【００１５】
図２は、扉用装置９とヒンジ２とを分解した状態の斜視図を示す。ヒンジ２の第１部４（図１も参照）は、本体１に取り付けられる取付け座１６（図１参照）と、取付け座１６にワンタッチで着脱可能に取り付けられる第１部本体１７（図２参照）と、を備える。第１部本体１７は、互いに対向する左右一対の側板１７ａと、側板１７ａを連結する連結板１７ｂと、を有して、断面略コ字状である。第１部本体１７は、前後方向に長い。第１部本体１７には、中間プレート１８が組み込まれる。中間プレート１８も断面コ字状である。中間プレート１８の前端部には、軸１８ａが設けられ、中間プレート１８の後端部には、ねじりばね１８ｃによって閉じ方向に付勢される回転可能なフック１８ｂが設けられる。第１部本体１７を取付け座１６にかぶせるようにして押し込むと、中間プレート１８の軸１８ａが取付け座１６の図示しない切欠き部に嵌まると共に、フック１８ｂが一旦開いた後閉じ、フック１８ｂが取付け座１６の図示しない切欠き部に嵌まる。これにより、第１部本体１７が取付け座１６にワンタッチで取り付けられる。第１部本体１７を取付け座１６から外すときは、レバー１９を押し、フック１８ｂを開き方向に回転させる。第２部５はカップ状である。
【００１６】
扉用装置９のベース１０には、第１部本体１７が前後方向にスライド可能に嵌められる凹部２１が設けられる。凹部２１は、第１部本体１７の左右一対の側板１７ａに対応する左右一対の側壁２２と、第１部本体１７の連結板１７ｂに対応するベース本体２３と、ベース本体２３との間で一対の側板１７ａを上下方向に挟むように、一対の側壁２２の上端部に曲げて設けられる一対の屈曲部２２ａと、によって画定される。
【００１７】
図３は、ヒンジ２の第１部本体１７に扉用装置９を取り付けた状態を示す。図３（ｂ）の断面図に示すように、第１部本体１７と第２部５とは、２つのリンク、すなわち内側リンク７と外側リンク８を介して連結される。第１部４、第２部５、内側リンク７及び外側リンク８は、４節回転連鎖を構成し、これらは互いに回り待遇で連結される。第１部４と外側リンク８との間には、扉３を閉じ位置に保持するためのねじりばね２４が介在する。また、外側リンク８には、扉３が閉じるときに外側リンク８に接触し、外側リンク８の回転を制動、ひいては扉３がゆっくり閉まるようにするダンパ２５が組み込まれる。なお、後述するように扉用装置９にもキャッチ機能が設けられる。このため、ヒンジ２のねじりばね２４は省略することもできる。
【００１８】
扉３の前後、左右、上下の位置を調節できるように、第１部本体１７は、取付け座１６（図１、図８も参照）に前後、左右、上下の位置を調節可能に取り付けられる。図８に示す左右調節ねじ３１を回すことで、第１部本体１７の左右方向の位置、ひいては扉３の左右方向の位置を調節できる。図３（ｂ）に示す前後調節ねじ３２を回すことで、中間プレート１８に対する第１部本体１７の前後方向の位置、ひいては扉３の前後方向の位置を調節できる。図３（ｂ）に示す上下調節ねじ３３を回すことで、中間プレート１８に対する第１部本体１７の上下方向の位置、ひいては扉３の上下方向の位置を調節できる。
【００１９】
扉用装置９のベース本体２３には、筒状の止めねじ３４が螺合する。ベース１０の凹部２１（図２参照）に第１部本体１７を前後方向に嵌めた状態で、止めねじ３４を締めると、止めねじ３４が第１部本体１７の上下調節ねじ３３にかぶさる。これにより、第１部本体１７が前後方向に移動不可能になり、第１部本体１７がベース１０に取り付けられる。第１部本体１７をベース１０に取り付けた状態で、第１部本体１７は取付け座１６に着脱可能である。ベース本体２３には、第１部本体１７を取付け座１６に取り付けた状態で、上記の位置調節ねじ３１，３２を操作できるように、孔、切欠き等のアクセス開口３６，３７が設けられる。止めねじ３４にも、位置調節ねじ３３を操作できるように、アクセス開口３４ａが設けられる。
【００２０】
図４は、扉用装置９の分解斜視図を示す。扉用装置９は、ベース１０と、ベース１０に回転可能に支持されるアーム１１と、アーム１１に閉じ方向及び開き方向のトルクを働かせるための付勢手段としてのばね４１と、を備える。アーム１１には、スライダ４２がアーム１１の長さ方向にスライド可能に設けられる。スライダ４２は、ばね４１によってベース１０のカム４３に付勢される。カム４３は、ばね４１がスライダ４２を押す力をアーム１１を回転させるトルクに変換する。
【００２１】
ベース１０は、カム４３が形成されるベース本体２３と、ベース本体２３の左右側面に取り付けられる左右一対の側壁２２と、を備える。ベース本体２３は、互いに対向する左右一対の側板部２３ａと、側板部２３ａを連結する連結板部２３ｂと、を備えて、断面コ字状である。カム４３は、ベース本体２３の側板部２３ａに形成されていて、略円弧状である。カム４３の一部には、扉３を開き位置に保つための凹所４３ａが形成される。ベース本体２３には、上記の止めねじ３４が螺合する。一対の側壁２２それぞれは、板状である。一対の側壁２２の上端部には、互いに向かって突出する一対の屈曲部２２ａが形成される。
【００２２】
カム４３の形状は、扉用装置９が閉じ位置にある扉３に閉じ方向のトルクを働かせるキャッチ機能、扉３をわずかな力で開けられるように扉３に開き方向のトルクを働かせるアシスト機能、扉３を任意の開き角度で停止させるフリーストップ機能、扉３を開き位置に保つキャッチ機能の少なくとも一つを持つように形成される。
【００２３】
アーム１１は、前後方向に細長い。アーム１１は、互いに対向する左右一対の側板１１ａと、側板１１ａを連結する連結板１１ｂと、を備えて、断面コ字状である。アーム１１の側板１１ａの後端部は、ベース１０の側壁２２に軸４４を介して回転可能に支持される。アーム１１の側板１１ａには、スライダ４２を案内するための長孔１１ａ１が形成される。長孔１１ａ１には、横長長方形の枠状のガイド体４５が嵌められる。
【００２４】
アーム１１には、軸状のスライダ４２がアーム１１の長さ方向にスライド可能に設けられる。スライダ４２の頭部４２ａには、ローラ４６が回転可能に支持される。スライダ４２の頭部４２ａには、ピン４８が通される。ローラ４６は、ローラーカラー４７を介してピン４８に回転可能に支持される。ピン４８はガイド体４５も貫通する。スライダ４２の頭部４２ａは、ピン４８を介してガイド体４５に案内される。
【００２５】
アーム１１には、コイル状のばね４１が収容される。ばね４１の長さは、アーム１１の略全長に渡る。ばね４１は、スライダ４２の軸部４２ｂを囲むように配置されていて、頭部４２ａのローラ４６をカム４３に付勢する。ばね４１の一端部には、ばね受け４９が当接する。ばね受け４９には、ねじ５０が螺合する。アーム１１の先端部には、Ｌ字の板状のばねケース５１が固定される。ねじ５０の頭部はばねケース５１に当接する。ねじ５０を回すことで、ばね受け４９がアーム１１の長さ方向に移動し、ばね４１の力が調節される。ねじ５０は、スライダ４２の軸部４２ｂの孔に挿入される。スライダ４２は、その頭部４２ａがピン４８を介してアーム１１のガイド体４５に案内され、その軸部４２ｂがねじ５０に案内される。
【００２６】
ばねケース５１には、アーム１１の長さ方向に延びると共に、先端が下方に向かって円弧状に湾曲する溝５１ａが形成される。図１に示すように、扉３に取り付けられる座１２は、左右一対の側板部１２ａと、側板部１２ａを連結する連結板部１２ｂと、を備え、断面コ字状である。座１２の側板部１２ａの内面には、小径の円形の突起１２ａ１（図６参照）が形成される。この突起１２ａ１がばねケース５１の溝５１ａにスライド可能にかつ回転可能に嵌まる。
【００２７】
図５（ａ）は扉３の閉じ位置を示し、図５（ｂ）は扉３の開き位置を示す。図５（ａ）に示すように、扉３が閉じ位置にあるとき、アーム１１は扉３と略平行であり、扉用装置９のキャッチ機能により扉３は閉じ位置に保たれる。
【００２８】
扉３を開くと、アーム１１が扉３と略平行な状態を保ったまま開き方向に回転し、座１２がアーム１１の先端に向かってスライドし始める。扉３を所定角度以上開くと、扉用装置９のアシスト機能により扉３をわずかな力で開けるようになる。また、扉用装置９のフリーストップ機能により、扉３から手を離しても扉３は任意の開き角度を保つ。
【００２９】
図５（ｂ）に示すように、扉３を開き位置まで開くと、アーム１１が扉３と略平行な状態を保ったまま略水平方向を向くまで回転する。座１２はアーム１１の略先端までスライドする。扉３を開き位置まで回転させると、スライダ４２のローラ４６がカム４３の凹所４３ａに嵌まり（図４参照）、扉用装置９のキャッチ機能により扉３の開き位置が保たれる。
【００３０】
扉３を開き位置から閉じるときには、上述と逆の動作になる。扉３を所定角度まで閉じると、扉用装置９のキャッチ機能により扉３が自動的に閉まる。このとき、ヒンジ２のダンパ２５（図３（ｂ）参照）が作動して、扉３がゆっくり閉まる。なお、ダンパ２５をヒンジ２の替わりに扉用装置９に設けることもできる。
【００３１】
図６ないし図８は、ヒンジ２及び扉用装置９の取付け方法の工程図を示す。まず、図６に示すように、第３ねじ２０を用いて扉３に座１２を取り付ける。扉３には、あらかじめヒンジ２の第２部５が嵌められる凹部３ａが形成されている。
【００３２】
図７に示すように、ヒンジ２の第１部本体１７に扉用装置９を取り付ける。座１２の突起１２ａ１を扉用装置９のアーム１１の溝５１ａに嵌めた後、第２ねじ１５を用いてヒンジ２の第２部５を扉３に取り付ける。
【００３３】
図８に示すように、第１ねじ１４を用いて本体１の天板１ａにヒンジ２の取付け座１６を取り付ける。ヒンジ２の第１部本体１７を取付け座１６にワンタッチで取り付ければ、扉用装置９を本体１に取り付けることができ、同時に扉３を本体１に取り付けることができる。なお、ヒンジ２の取付け座１６に第１部本体１７を取り付けた後、第１部本体１７に扉用装置９をスライドさせて取り付けることもできる。
【００３４】
以上に本発明の第１の実施形態の扉用装置９の構成を説明した。本実施形態の扉用装置９によれば、以下の効果を奏する。
【００３５】
扉用装置９のベース１０がヒンジ２の第１部４に取り付けられるので、ヒンジ２と扉用装置９とを一体化することができ、すっきりとした印象を与えることができる。また、ばね４１を扉用装置９に設けるので、ばね４１の選択の幅が広がり、必要なキャッチ機能及び／又はアシスト機能を確保することができる。
【００３６】
ヒンジ２の第１部４が断面コ字状の第１部本体１７を有し、扉用装置９のベース１０を第１部本体１７に取り付けるので、ヒンジ２の第１部４に扉用装置９のベース１０をしっかりと取り付けることができる。
【００３７】
アーム１１を扉３に連結するための座１２がヒンジ２の第２部５から離れているので、アーム１１の長さを長くすることができ、アーム１１に収容されるばね４１を長くすることができる。このため、ばね４１の選択の幅がさらに広がる。
【００３８】
ヒンジ２の第１部４が、本体１に固定される取付け座１６と、取付け座１６に着脱可能に取り付けられる第１部本体１７と、を有し、扉用装置９をヒンジの第１部本体１７に取り付けるので、第１部本体１７に取り付けた状態の扉用装置９を取付け座１６に着脱可能にすることができる。
【００３９】
扉用装置９のベース１０にカム４３を設けるので、アーム１１に働くトルクを容易に制御できる。
【００４０】
ベース１０の凹部２１が、ヒンジ２の第１部本体１７の左右一対の側板１７ａに対応する左右一対の側壁２２と、ベース本体２３と、ベース本体２３との間で一対の側板１７ａを上下方向に挟むように、一対の側壁２２の上端部に曲げて設けられる一対の屈曲部２２ａと、によって画定されるので、ヒンジ２の第１部本体１７に対してベース１０を前後方向のみにスライド可能にすることができる。
（第２の実施形態）
【００４１】
図９は、本発明の第２の実施形態の扉用装置６１を示す。第１の実施形態では、アーム１１が扉３に取り付けられる座１２にスライド可能にかつ回転可能に連結される。第２の実施形態では、アーム１１が扉３にリンク６２を介して連結される。リンク６２の一端部は、座１２に回り対偶で、すなわち回転可能に連結される。リンク６２の他端部は、アーム１１に回り対偶で、すなわち回転可能に連結される。ヒンジ２、扉用装置６１のその他の構成は、第１の実施形態と略同一なので、同一の符号を付してその説明を省略する。
（第３の実施形態）
【００４２】
図１０ないし図１２は、本発明の第３の実施形態の扉用装置６３を示す。第１の実施形態では、扉用装置９のベース１０がヒンジ２の第１部４の第１部本体１７に取り付けられる。第３の実施形態では、図１０及び図１１に示すように、扉用装置６３のベース１０がヒンジ２の第１部４の取付け座１６に取り付けられる。ベース１０の側壁２２には、外側に折り曲げられる係止片２２ｂが形成される。係止片２２ｂには、第１ねじ１４が嵌まる溝２２ｂ１が形成される。ベース１０と取付け座１６は、第１ねじ１４によって本体１に共締めされる。図１２に示すように、ベース１０には、止めねじ３４（図４参照）の替わりに孔、切欠き等のアクセス開口６４が形成される。ヒンジ２、扉用装置６３のその他の構成は、第１の実施形態と略同一なので、同一の符号を付してその説明を省略する。
（第４の実施形態）
【００４３】
図１３は、本発明の第４の実施形態の扉用装置６５を示す。第１の実施形態では、扉用装置９のベース１０がスライドヒンジ２の第１部本体１７に取り付けられる。第４の実施形態では、扉用装置６５のベース１０が１軸ヒンジ６６の第１部６７に取り付けられる。図１４に示すように、１軸ヒンジ６６は、本体１に取り付けられる略板状の第１部６７と、扉３に取り付けられる略板状の第２部６８と、第１部６７の筒部と第２部６８の筒部とに挿入される軸６９と、を備える。第１部６７には、扉用装置６５のベース１０がスライド可能に嵌められる座６７ａが形成される。座６７ａは、第１部６７から下方に突出する板状に形成される。座６７ａには、止めねじ３４（図４参照）が嵌まる筒体６７ｂが一体に形成される。扉用装置６５のベース１０を座６７ａに嵌め、止めねじ３４を筒体６７ｂに嵌めることで、扉用装置６５が１軸ヒンジ６６の第１部６７に取り付けられる。
（第５の実施形態）
【００４４】
図１５は、本発明の第５の実施形態の扉用装置７１を示す。第１の実施形態では、図４に示すように、アーム１１が断面コ字状で金属製である。第５の実施形態では、図１５に示すように、アーム７２が断面コ字状で金属製の基部フレーム７２ｂと、断面略四角形で略筒状の樹脂製の本体フレーム７２ａと、を備える。金属製の基部フレーム７２ｂは、樹脂製の本体フレーム７２ａの内側に嵌められていて、本体フレーム７２ａに固定される。基部フレーム７２ｂは、ベース１０の側壁２２に軸７３を介して回転可能に支持される。本体フレーム７２ａは、基部フレーム７２ｂと同様にベース１０の側壁２２に軸７３を介して回転可能に支持される。本体フレーム７２ａには、図４で示すガイド体４５、ばねケース５１が一体に樹脂成形される。本体フレーム７２ａ内には、図４で示すばね４１、ばね受け４９、ねじ５０が設けられる。また、本体フレーム７２ａ内には、ばね４１で付勢されるスライダ４２がピン４８を介してスライド可能に設けられる。
（第６の実施形態）
【００４５】
図１６は、本発明の第６の実施形態の扉用装置８１を示す。第６の実施形態の扉用装置８１と第１の実施形態の扉用装置９とは、主に以下の二点で相違する。一点目は、第６の実施形態の扉用装置８１では、扉３に取り付けられる座８２が第１座８３と第２座８４とを備え、第２座８４が第１座８３に対して軸８５を中心にして回転可能である点である。二点目は、扉用装置８１のベース８６がヒンジ２の第１部４の取付け座１６に取り付けられ、ベース８６をヒンジ２の取付け座１６に取り付けた状態で、扉３の位置を調節可能である点である。
【００４６】
まず、第６の実施形態の座８２を説明する。図１７に示すように、座８２は、扉３に取り付けられる第１座８３と、第１座８３に軸８５を中心にして回転可能な第２座８４と、を備える。第１座８３は、板状である。第１座８３には、扉３に取り付けるためのねじ８７（図１６参照）が通される長穴８３ａが形成される。第１座８３には、軸８５が固定される。軸８５は、扉３と直交する。第２座８４は、軸８５に回転可能に支持される。第２座８４は、コ字状であり、互いに対向する一対の側板部８４ａと、一対の側板部８４ａを連結する連結板部８４ｂと、を備える。側板部８４ａの内側面には、アーム８８の溝８８ｃ（図１６参照）にスライド可能に嵌まる突起８４ｃが形成される。
【００４７】
座８２が傾いて扉３に取り付けられた場合や扉３の傾きがある場合等、扉３を閉めるにしたがって傾きの影響が大きくなり、座８２とアーム８８との摺動抵抗が大きくなる。本実施形態によれば、座８２や扉３に傾きがあっても、第２座８４が回転し、第２座８４とアーム８８との平行が保たれる。第２座８４とアーム８８との摺動抵抗が生じにくいので、扉用装置８１の動作を安定させることができる。
【００４８】
第６の実施形態の扉用装置８１の構成は、以下のとおりである。図１６に示すように、第６の実施形態の扉用装置８１は、第１の実施形態の扉用装置９と同様に、ヒンジ２の第１部４に取り付けられるベース８６と、ベース８６に回転可能に支持されるアーム８８と、を備える。アーム８８に連結される座８２は、ヒンジ２の第２部５から離れている。
【００４９】
図１８は、扉用装置８１の分解斜視図を示す。８６はベース、８８はアームである。アーム８８には、アーム８８に閉じ方向及び開き方向のトルクを働かせるばね９２が収容される。また。アーム８８には、スライダ９３がアーム８８の長さ方向にスライド可能に収容される。スライダ９３は、ばね９２によってベース８６のカム９４に付勢される。カム９４は、ばね９２がスライダ９３を押す力をアーム８８を回転させるトルクに変換する。
【００５０】
ベース８６は、カム９４が形成されるベース本体９０と、ベース本体９０の左右側面に取り付けられる左右一対の側板９１と、を備える。一対の側板９１は、ベース本体９０を中心にして左右対称に形成される。ベース本体９０と側板９１とは、かしめピン９５等の結合手段によって結合される。左右方向に幅が広い取付け座１６（図１６、図２０（ａ）参照）にベース８６を取り付けることができるように、側板９１の上板部９１ａは、外側に折り曲げられる。上板部９１ａには、取付け座１６の先端部の突起１６ａ（図２０（ａ）参照）に嵌まる開口９１ａ１が形成される。また、上板部９１ａには、取付け座１６の後端部に螺合するねじ９６の頭部に引っかかる開放溝９１ａ２が形成される。
【００５１】
ベース本体９０には、カム９４が形成される。また、ベース本体９０には、ベース８６を取付け座１６に取り付けた状態で、ヒンジ２の位置調節ねじ３１，３２，３３（図２０（ａ）参照）にアクセスできるように、孔、切欠き等のアクセス開口９０ａ，９０ｂ，９０ｃが形成される。ヒンジ２の位置調節については後述する。
【００５２】
アーム８８は、左右一対の板状の外側アーム８８ａと、左右一対のケース状の内側アーム８８ｂと、を備える。外側アーム８８ａは、金属製である。内側アーム８８ｂは、樹脂製である。外側アーム８８ａと内側アーム８８ｂとは、ピン９６等の結合手段によって結合される。
【００５３】
外側アーム８８ａは、ベース８６に軸９７を介して回転可能に支持される。内側アーム８８ｂには、軸状のスライダ９３がスライド可能に収容される。スライダ９３には、ピン９８を介してローラ９９が回転可能に支持される。このローラ９９がカム９４に付勢される。ピン９８は、外側アーム８８ａの長穴８８ａ１に挿通される。スライダ９３の直線運動は、ピン９８を介して外側アーム８８ａに案内される。
【００５４】
内側アーム８８ｂの外側面には、座８２の突起８４ｃがスライド可能に嵌められる溝８８ｃが形成される。溝８８ｃは、内側アーム８８ｂに沿って延びる。溝８８ｃの先端部８８ｃ１は、下方に向かって円弧状に湾曲する。溝８８ｃの基端部８８ｃ２は、上方に向かって円弧状に湾曲し、開放する。
【００５５】
内側アーム８８ｂには、スライダ９３をカム９４に付勢するコイル状のばね９２が収容される。ばね９２の一端部がスライダ９３に当接する。ばね９２の他端部には、ばね受け１００が当接する。ばね受け１００は、内側アーム８８ｂ内をスライド可能である。内側アーム８８ｂには、プレートナット１０１が収容される。プレートナット１０１には、ねじ穴１０１ａが形成される。プレートナット１０１には、ねじ１０２が螺合する。ねじ１０２の先端は、補強プレート１０３を介してばね受け１００に当接する。内側アーム８８ｂの先端部には、ねじ１０２を操作するための調整用穴８８ｂ１が形成される。
【００５６】
ばね９２の力は、ねじ１０２によって調整される。図１９（ａ）は、ばね９２の力を最大にした状態を示し、図１９（ｂ）は、ばね９２の力を最小にした状態を示し、図１９（ｃ）は、ねじ１０２がプレートナット１０１から外れた状態を示す。プレートナット１０１に螺合するねじ１０２を回すと、プレートナット１０１とばね受け１００との間の間隔が調整される。プレートナット１０１は、内側アーム８８ｂに当接していて、ねじ１０２を回すと、ばね受け１００がアーム８８の長さ方向に移動し、ばね９２の長さが調整される。図１９（ｃ）に示すように、調整用穴８８ｂ１の大きさは、ねじ１０２の頭部よりも小さい。このため、ねじ１０２がプレートナット１０１から外れても、ねじ１０２がアーム８８から抜け落ちることはない。ねじ１０２を締めると、再び図１９（ａ）（ｂ）に示すように、ねじ１０２がプレートナット１０１に螺合する状態に戻る。
【００５７】
以下に、第６の実施形態の扉用装置８１の取付け方法を説明する。まず、図２０（ａ）に示すように、本体１にヒンジ２の第１部４の取付け座１６を取り付け、扉３にヒンジ２の第２部５及び座８２を取り付ける。ヒンジ２は、第１の実施形態と略同様な構成である。すなわち、ヒンジ２は、スライドヒンジであり、第１部４と、第２部５と、第１部４と第２部５に回転可能に連結される内側リンク７及び外側リンク８（図１９（ａ）参照）と、を備える。第１部４は、取付け座１６と、取付け座１６にワンタッチで着脱可能に取り付けられる第１部本体１７と、を備える。
【００５８】
ヒンジ２の取付け座１６には、取付け座１６に扉用装置８１を取り付けるためのねじ９６がねじ込まれる。ねじ９６は、完全にはねじ込まれておらず、少しだけねじ込まれる。
【００５９】
次に、図２０（ｂ）に示すように、第１部本体１７を取付け座１６に取り付け、本体１に扉３を組み付ける。この状態で扉３の左右調節、上下調節（かぶせ量調節）、及び前後調節を行う。図２０（ａ）に示す左右調節ねじ３１を回すことで、第１部本体１７の左右方向の位置、ひいては扉３の左右方向の位置を調節できる。図２０（ｂ）に示す前後調節ねじ３２を回すことで、第１部本体１７の前後方向の位置、ひいては扉３の前後方向の位置を調節できる。図２０（ｂ）に示す上下調節ねじ３３を回すことで、第１部本体１７の上下方向の位置、ひいては扉３の上下方向の位置を調節できる。
【００６０】
次に、図２１（ａ）に示すように、扉用装置８１を座８２に近づけ、座８２の突起８２ｃが扉用装置８１のアーム８８の溝８８ｃの基端部８８ｃ２に入るようにする。そして、図２１（ｂ）に示すように、座８２の突起８２ｃを溝８８ｃの先端部８８ｃ１まで移動させる。
【００６１】
次に、図２２（ａ）〜（ｂ）に示すように、扉用装置８１のベース８６の開放溝９１ａ２をねじ９６に引っ掛け、図２２（ｃ）に示すように、ベース８６を後方に移動させ、ベース８６の開口９１ａ１を取付け座１６の先端の突起１６ａに引っ掛ける。この状態で、扉３は開き位置にあり、扉用装置８１は取付け座１６に仮保持される。次に、図２２（ｄ）に示すように、ねじ９６，１０６を本体１に締め込み、ベース８６を取付け座１６に取り付ける。扉３は開いた状態で保持されているので、扉３から手を放してねじ込みの作業が可能である。
【００６２】
扉用装置８１を取付け座１６に取り付けた後のヒンジ２の位置調節は、以下のように行われる。図２３（ａ）は、第１部本体１７の位置調節前の状態を示し、図２３（ｂ）は、第１部本体１７を前方向に位置調節した後の状態を示し、図２３（ｃ）は、第１部本体１７を下方向に位置調節した後の状態を示し、図２３（ｄ）は、第１部本体１７を後ろ方向に位置調節した後の状態を示す。上述の前後及び上下調節ねじ３２，３３を回せば、第１部本体１７が前後方向及び上下方向に移動する。
【００６３】
扉用装置８１のベース８６は、取付け座１６に取り付けられる。ベース８６は、第１部本体１７が前後方向及び上下方向に移動しても、第１部本体１７に干渉しない形状に形成される。このため、ねじ９６でベース８６を取付け座１６に取り付けた状態で、第１部本体１７ひいては扉３の前後方向及び上下方向の位置を調節できる。
【００６４】
図２４は、ベース８６の底面図を示す。図２４（ａ）は、第１部本体１７の位置調節前の状態を示し、図２４（ｂ）は、第１部本体１７を右方向に位置調節した後の状態を示し、図２４（ｃ）は、第１部本体１７を左方向に位置調節した後の状態を示す。第１部本体１７の左右方向の位置調節を行う場合には、ねじ９６，１０６を緩め、ベース８６を取付け座１６から緩める。そして、左右調節ねじ３１を回す。調整後、ねじ９６，１０６を再度締める。これにより、ベース８６と共に第１部本体１７の左右方向の位置を調節でき、扉３の左右方向の位置を調節できる。
【００６５】
なお、本発明は、上記実施形態に具現化されるのに限られることはなく、本発明の要旨を変更しない範囲で様々な実施形態に具現化可能である。
【００６６】
上記実施形態では、扉用装置を取り付けたヒンジの第１部を本体に取り付け、ヒンジの第２部を扉に取り付けているが、ヒンジの第１部を扉に取り付け、ヒンジの第２部を本体に取り付けることもできる。
【００６７】
扉用装置の各部の形状、構造は一例であり、本発明の要旨を変更しない範囲で他の形状、構造を採用し得る。
【００６８】
例えば上記実施形態では、アームが座に直接的に連結され、アームが座を介して扉に連結されているが、アームがヒンジの第２部に直接的に連結され、アームがヒンジの第２部を介して扉に連結されてもよい。
【００６９】
上記実施形態では、ヒンジの第１部の第１部本体が取付け座に着脱可能に取り付けられているが、ヒンジの第１部の第１部本体が取付け座に分離不可能に一体でもよい。
【００７０】
上記実施形態では、スライダとアームの基端部のカムを用いて、ばねの力をアームのトルクに変換しているが、スライダとアームの基端部とをリンクで連結し、このリンクを用いて、ばねの力をアームのトルクに変換することもできる。
【００７１】
上記実施形態では、扉用装置を家具の扉に適用した例を説明したが、家具の扉に限られることはなく、建築物の扉、機械装置の扉に適用することができる。また、上記実施形態では、扉が上開きの例を説明したが、扉は左右開きでも、下開きでもよい。さらに、図２５に示すように、本実施形態の扉用装置は、上蓋や下蓋にも適用することができる。図２５（ａ）は上蓋１０４の開き位置を示し、図２５（ｂ）は上蓋１０４の閉じ位置を示す。１０５は本体である。
【００７２】
本明細書は、２０１７年５月２４日出願の特願２０１７−１０２８５０に基づく。この内容はすべてここに含めておく。
【符号の説明】
【００７３】
１…本体
２…スライドヒンジ（ヒンジ）
３…扉
４…ヒンジの第１部
５…ヒンジの第２部
９…扉用装置
１０…ベース
１１…アーム
１２…座
１６…取付け座
１７…第１部本体
１７ａ…側板
１７ｂ…連結板
２１…凹部
２２…側壁
２２ａ…屈曲部
２３…ベース本体
３１，３２，３３…ヒンジの位置調節ねじ
３４ａ，３６，３７…ベースのアクセス開口
４１…ばね（付勢手段）
４２…スライダ
４３…カム
６１…扉用装置
６３…扉用装置
６５…扉用装置
６６…１軸ヒンジ（ヒンジ）
６７…ヒンジの第１部
６８…ヒンジの第２部
７１…扉用装置
７２…アーム
８１…扉用装置
８２…座
８３…第１座
８４…第２座
８５…軸
８６…ベース
８８…アーム
９０ａ，９０ｂ，９０ｃ…ベースのアクセス開口
９２…ばね（付勢手段）
９３…スライダ
９４…カム
【図１】
0006563613.tif 000002
【図２】
0006563613.tif 000003
【図３】
0006563613.tif 000004
【図４】
0006563613.tif 000005
【図５】
0006563613.tif 000006
【図６】
0006563613.tif 000007
【図７】
0006563613.tif 000008
【図８】
0006563613.tif 000009
【図９】
0006563613.tif 000010
【図１０】
0006563613.tif 000011
【図１１】
0006563613.tif 000012
【図１２】
0006563613.tif 000013
【図１３】
0006563613.tif 000014
【図１４】
0006563613.tif 000015
【図１５】
0006563613.tif 000016
【図１６】
0006563613.tif 000017
【図１７】
0006563613.tif 000018
【図１８】
0006563613.tif 000019
【図１９】
0006563613.tif 000020
【図２０】
0006563613.tif 000021
【図２１】
0006563613.tif 000022
【図２２】
0006563613.tif 000023
【図２３】
0006563613.tif 000024
【図２４】
0006563613.tif 000025
【図２５】
0006563613.tif 000026